(57)【要約】      （修正有）【課題】夜間等において周囲に迷惑を掛けずに練習するためのオカリナ用消音具を提供する。【解決手段】オカリナの吹口に着脱自在に取り付けるべく、保持体２と消音部材とからなる。消音部材は、不織布、フェルト、タオル地、綿布の少なくとも１つである。保持体は、弾性体であり、略楕円錐台形である。保持体に、消音部材を取り付ける取付部を設ける。【選択図】図１
2014228859.tif 000002
【特許請求の範囲】
【請求項１】
オカリナの吹口に着脱自在に取り付けるべく、保持体と消音部材とからなることを特徴とするオカリナ用消音具。
【請求項２】
消音部材が、不織布、フェルト、タオル地、綿布の少なくとも１つであることを特徴とする請求項１記載のオカリナ用消音具。
【請求項３】
保持体が、弾性体であることを特徴とする請求項１又は２記載のオカリナ用消音具。
【請求項４】
保持体が、略楕円錐台形であることを特徴とする請求項１又は２記載のオカリナ用消音具。
【請求項５】
保持体に、消音部材を取り付ける取付部を設けてなることを特徴とする請求項１、２、３又は４記載のオカリナ用消音具。
【請求項６】
消音部材を、複数枚重ねて使用することを特徴とする請求項１、２、３、４又は５記載のオカリナ用消音具。
【発明の詳細な説明】
【技術分野】
【０００１】  本発明は、夜間等にオカリナを練習するときに使用するオカリナ用消音具に関するものである。
【背景技術】
【０００２】    従来の技術としては、同様なものはないが、オカリナとしてはオカリナ本体の一部に円筒状のパイプを固着し、このパイプ内部にスライド可能なピストンを装着する。あらかじめ円筒のパイプが貫通する大きさの穴を開けて焼成したオカリナ本体に円筒パイプを固着する。一方につまみの付いた細棒に、円筒パイプの内径に密着する大きさのゴム状素材を貫通させ、細棒のつまみの付いていない一方の端に固定したピストンを用意する。ピストンを円筒パイプの内部に挿入するものがある。（特許文献１参照）【０００３】  また、別の従来技術としては、金管楽器のベルに装着される消音器本体を有する金管楽器用消音器であり、消音器本体は本体内部空間を有し、消音器本体に、呼気を本体内部空間に導入する呼気排出パイプを設け、呼気排出導入パイプと呼気排出パイプにより外部へ音波の伝播を抑制するようにしたことを特徴とする金管楽器用消音器がある。（特許文献２参照）
【先行技術文献】
【特許文献】
【０００４】
【特許文献１】  特開２０１１−１９７６２１号公報
【特許文献２】  特開２０１３−４４８２６号公報
【発明の概要】
【発明が解決しようとする課題】
【０００５】  上記前者においては、音高を調整することのできるものであり、本発明のような消音するためのものではなく、機能・効果は有していないものである。【０００６】  上記後者においては、金管楽器用の消音器であり、オカリナに使用できるものではなく、かつ、本発明のような機能・効果を有していないものである。【０００７】  本発明は、このような従来の構成が有していた問題を解決しようとするものであり、特に、夜間等において周囲に迷惑を掛けずに練習するためのオカリナ用消音具を提供することを目的とする。
【課題を解決するための手段】
【０００８】  本発明は上記目的を達成するために、オカリナの吹口に着脱自在に取り付けるべく、保持体と消音部材とからなること。消音部材が、不織布、フェルト、タオル地、綿布の少なくとも１つであること。保持体が、弾性体であること。保持体が、略楕円錐台形であること。保持体に、消音部材を取り付ける取付部を設けてなることを特徴とする。
【発明の効果】
【０００９】１）、消音部材と保持体とからなるオカリナ用消音具を、オカリナの吹口に着脱自在に取り付けることにより、夜間等、周囲を気にすることなく練習できる。
２）、消音部材が、不織布、フェルト、タオル地、綿布の少なくとも１つ使用することにより、消音効果をえることができる。
３）、保持体を弾性体とすることにより、オカリナの吹口の大小に対応することができる。
４）、保持体を略楕円錐台形に形成することにより、オカリナの吹くちにフィットし易い。
５）、取付部により、消音材の着脱が容易に行える。
６）、消音部材を、複数枚重ねて使用することにより、必要な消音効果を得ることができる。
【図面の簡単な説明】
【００１０】
【図１】  本発明の第１実施例を示すオカリナ用消音具の保持体の縦断正面図。
【図２】  本発明の第１実施例を示すオカリナ用消音具の保持体の側面図。
【図３】  本発明の第１実施例を示すオカリナ用消音具の消音部材の側面図。
【図４】  本発明の第１実施例を示すオカリナ用消音具の使用状態図。
【図５】  本発明の第２実施例を示すオカリナ用消音具の保持体の縦断面図。
【図６】  本発明の第２実施例を示すオカリナ用消音具の保持体の側面図。
【図７】  本発明の第２実施例を示すオカリナ用消音具の消音部材の側面図。
【図８】  本発明の第２実施例を示すオカリナ用消音具の使用状態図。
【発明を実施するための形態】
【００１１】  オカリナ用消音具１は、保持体２と消音部材３より構成される。
保持体２は、ゴム製あるいは合成樹脂等による弾性体で、薄皮状の略楕円錐台形に形成してなるものである。
消音部材３は、不織布、フェルト、タオル地、綿布の少なくとも１つによるもので、円形状に加工してある。
【００１２】  次に、オカリナ用消音具１の使用例について説明する。
一般に市販されているオカリナＯの吹口Ｆに、まず消音部材３を当接（必要に応じて複数枚）し、つづいて、消音部材３の外周を保持すべく保持体２を適宜圧入する。
この状態で、吹口Ｆに口（図示せず）を当てて吹くことにより、吹込量を減少でき、消音効果をえることができるものである。
また、消音部材３は消耗品であり、必要に応じて交換するものである。
【００１３】  次に、第２実施例のオカリナ用消音具について説明する。
オカリナ用消音具２１は、保持体２２と消音部材２３より構成される。
保持体２２は、上記と同様な弾性体で、略楕円錐台形に形成し、先端部に消音部材２３を取り付ける係止面２２ａ１を形成した取付部２２ａを設けてある。
消音部材２３は、上記と同様な材質で、楕円状に加工したもので、取付部２２ａにフィットするものである。
【００１４】  オカリナ用消音具２１の使用例について説明する。
予め消音部材２３を保持体２２の取付部２２の内側に消音部材２３を取り付ける。（必要に応じて複数枚）
このオカリナ用消音具２１をオカリナＯ１の吹口Ｆ１に適宜圧入して取り付けるものである。
上記と同様、消音部材２３は消耗品である。
【００１５】  上記各実施例において、保持体の大きさや弾性度は、一般に市販されているオカリナの吹口の大きさに合わせるものとする。
また、消音部材の材質、厚みや枚数等は、消音量により、必要に応じて決めればよい。
さらに、Ｆ調のオカリナを使用して、消音効果のテストを行った。
測定器としては、ｓｏｕｎｄ、Ｌｅｖｅｌ、ｍｅｔｅｒＴＭ−１０２を使用し、例えば、フェルト（１ｍｍ厚）１枚で１００ｄＢが８０ｄＢへ減少した。
【符号の説明】
【００１６】１−−−オカリナ用消音具
２−−−保持体
３−−−消音部材
Ｏ−−−オカリナ
Ｆ−−−吹口
【図１】
2014228859.tif 000003
【図２】
2014228859.tif 000004
【図３】
2014228859.tif 000005
【図４】
2014228859.tif 000006
【図５】
2014228859.tif 000007
【図６】
2014228859.tif 000008
【図７】
2014228859.tif 000009
【図８】
2014228859.tif 000010